(57)【要約】  データ検出再生方法は、データを有する第１の信号を受信する段階、当該第１の信号に含まれたデータを分析する段階、第１のカテゴリー及び第２のカテゴリーとして定められる少なくとも２つのデータカテゴリーに当該データを分類する段階、及び当該データが第１のカテゴリーである場合に当該データを再生し、当該データが第２のカテゴリーである場合に当該データが当該第２のカテゴリーの所定のサブカテゴリーであるか否かを検出する段階、を有し、（ｉ）当該データが当該第２のカテゴリーの当該所定のサブカテゴリーである場合に当該データは再生され、（ｉｉ）当該データが当該第２のカテゴリーの当該所定のサブカテゴリーでない場合に第２の信号が選択され当該第２の信号に含まれるデータが再生される。
2008519526.tif 000002
【特許請求の範囲】
【請求項１】
方法であって、データを検出及び再生し、前記方法は：
（Ａ）データを有する第１の信号を受信する段階、
（Ｂ）前記第１の信号に含まれた前記データを分析する段階、
（Ｃ）第１のカテゴリー及び第２のカテゴリーとして定められる少なくとも２つのデータカテゴリーに前記データを分類する段階、及び
（Ｄ）前記データが前記第１のカテゴリーである場合に前記データを再生し、及び前記データが前記第２のカテゴリーである場合に前記データが前記第２のカテゴリーの所定のサブカテゴリーであるか否かを検出する段階、を有し、
（ｉ）前記データが前記第２のカテゴリーの前記所定のサブカテゴリーである場合に前記データは再生され、
（ｉｉ）前記データが前記第２のカテゴリーの前記所定のサブカテゴリーでない場合に第２の信号への切り替えが実行される、データ検出再生方法。
【請求項２】
前記第２の信号は、非放送中データ又は予め格納されたデータを表す、請求項１記載の方法。
【請求項３】
前記第２の信号は、第１のチューナーを介し提供される非放送中データを表す、請求項２記載の方法。
【請求項４】
前記非放送中データは、第１のチューナー及び第２のチューナーの両方から生じる、請求項２記載の方法。
【請求項５】
前記予め格納されたデータは、媒体プレーヤーを介し提供される、請求項２記載の方法。
【請求項６】
前記第１の信号及び前記第２の信号は、音響信号である、請求項１記載の方法。
【請求項７】
前記第１の信号及び前記第２の信号は、ビデオ信号である、請求項１記載の方法。
【請求項８】
装置であって、データを検出及び再生し、前記装置は：
（Ａ）データを有する第１の信号を受信する受信ユニット、
（Ｂ）前記第１の信号に含まれた前記データを分析する分析ユニット、及び
（Ｃ）第１のカテゴリー及び第２のカテゴリーとして定められる少なくとも２つのデータカテゴリーに前記データを分類する分類ユニット、を有し；
（Ｄ）前記装置は、前記データが前記第１のカテゴリーであると検出された場合に前記データを再生し、及び前記データが前記第２のカテゴリーである場合に前記データが前記第２のカテゴリーの所定のサブカテゴリーであるか否かを検出するよう配置され、
（ｉ）前記装置は、前記データが前記第２のカテゴリーの前記所定のサブカテゴリーである場合に前記データを再生するよう配置され；
（ｉｉ）前記装置は、前記データが前記第２のカテゴリーの前記所定のサブカテゴリーでない場合に第２の信号への切り替えるよう配置される、データ検出再生装置。
【請求項９】
前記第２の信号により表された非放送中データ又は予め格納されたデータを処理するよう配置された、請求項８記載の装置。
【請求項１０】
非放送中データを表す前記第２の信号を受信する第１のチューナーを有する、請求項９記載の装置。
【請求項１１】
第１のチューナー及び第２のチューナーを有し、前記非放送中データは両方のチューナーを介し受信可能である、請求項９記載の装置。
【請求項１２】
媒体プレーヤーを介し提供される予め格納されたデータを処理するよう配置された、請求項９記載の装置。
【請求項１３】
音響信号を前記第２の信号として処理するよう配置された、請求項８記載の装置。
【請求項１４】
ビデオ信号を前記第２の信号として処理するよう配置された、請求項８記載の装置。
【請求項１５】
車中の使用を検出する検出器を有する、請求項８記載の装置。
【請求項１６】
気象条件を検出する検出器を有する、請求項８記載の装置。
【請求項１７】
前記装置は、ラジオ受信機を有する電話機である、請求項８記載の装置。
【請求項１８】
コンピュータープログラムであって、プログラム可能な装置のメモリーに直接読み込み可能であり、前記コンピュータープログラムは、前記コンピュータープログラムが前記装置で実行された場合、請求項１乃至７の何れか１項記載の方法の段階を実行するソフトウェアコード部分を有する、コンピュータープログラム。
【請求項１９】
記録担体であって、請求項１８記載のコンピュータープログラムを実行する記録担体。
【発明の詳細な説明】
【技術分野】
【０００１】
本発明は、データを検出及び再生する方法に関する。当該方法は、データを有する第１の信号を受信する段階及び分析する段階を有する。
【０００２】
本発明は、データを検出及び再生する装置に更に関する。
【０００３】
本発明は、プログラム可能な装置のメモリーに直接読み込み可能なコンピュータープログラムに更に関する。
【背景技術】
【０００４】
このような方法の実施例は、特許文献１から知られている。特許文献１は、現在のラジオ局が主に音声を送信している時を検出し、及び現在のラジオ局が主に音声を送信しているか否かに依存して受信機の機能を変化する、音声のみ検出機構を有するラジオ受信機を開示している。ラジオ受信機は、音声のみ検出機構が音声放送を検出した場合、ラジオ受信機の出力を消音する。音響出力は、音声のみ検出機能が非音声信号を検出した場合、再び有効にされ得る。従ってコマーシャル及びディスクジョッキーの話は自動的に消音させられ、音楽が再開した場合、音量は前のレベルに戻される。
【０００５】
しかしながら、知られている方法は、音声放送が比較的長い時間期間の間に受信される場合、聞手が不便であるか又はプログラムの受信が失われるという欠点を有する。
【０００６】
特許文献２から更に知られていることは、会話認識回路により供給される信号を、タイマーユニットを介し走査回路へ転送することにより、次のチャンネルの走査の開始が短い時間期間の間遅延され、２つの連続する楽曲の隙間を埋めるために適当な遅延を供給することである。これは、次の楽曲のアナウンスを検出する会話認識回路のため、送信時に生じるギャップを防ぐためである。特許文献２では、交通情報のような所望の信号を消音するという欠点が依然としてある。音声のみの信号の長期に渡る送信が受信された場合、聞手は、音楽及び所定のサブカテゴリーのデータのような所望の信号を受信するまでの不確定な時間期間の間、再び待たなければならない。本発明は、上述の欠点の少なくともいくつかを克服するか又は軽減するという利点を有する。
【特許文献１】米国特許第２００２／００７２３４１号明細書
【特許文献２】独国特許第３８４０７０７−Ａ１号明細書
【発明の開示】
【発明が解決しようとする課題】
【０００７】
本発明の目的は、上述の欠点を回避する、最初の段落で定められた種類の方法、２番目の段落で定められた種類の装置、及び３番目の段落で定められた種類のコンピュータープログラムを提供することである。
【課題を解決するための手段】
【０００８】
上述の目的を達成するために、データを検出及び再生する方法は、データを有する第１の信号を受信する段階、当該第１の信号に含まれたデータを分析する段階、第１のカテゴリー及び第２のカテゴリーとして定められる少なくとも２つのデータカテゴリーに当該データを分類する段階、及び当該データが第１のカテゴリーである場合に当該データを再生し、当該データが第２のカテゴリーである場合に当該データが当該第２のカテゴリーの所定のサブカテゴリーであるか否かを検出する段階、を有し、（ｉ）当該データが当該第２のカテゴリーの当該所定のサブカテゴリーである場合に当該データは再生され、（ｉｉ）当該データが当該第２のカテゴリーの当該所定のサブカテゴリーでない場合に第２の信号への切り替えが実行される。
【０００９】
上述の目的を達成するために、データを検出及び再生する装置は、データを有する第１の信号を受信する受信ユニット、当該第１の信号に含まれたデータを分析する分析ユニット、第１のカテゴリー及び第２のカテゴリーとして定められる少なくとも２つのデータカテゴリーに当該データを分類する分類ユニット、を有する。当該装置は、当該データが第１のカテゴリーである場合に当該データを再生し、及び当該データが第２のカテゴリーである場合に当該データが当該第２のカテゴリーの所定のサブカテゴリーであるか否かを検出するよう配置され、（ｉ）当該装置は、当該データが当該第２のカテゴリーの当該所定のサブカテゴリーである場合に当該データを再生するよう配置され、（ｉｉ）当該装置は、当該データが当該第２のカテゴリーの当該所定のサブカテゴリーでない場合に第２の信号へ切り替えるよう配置される。
【００１０】
上述の目的を達成するために、プログラム可能な装置のメモリーに直接読み込み可能なコンピュータープログラムは、当該コンピュータープログラムが当該装置で実行された場合、請求項１乃至７の何れか１項に定められた方法の段階を実行するソフトウェアコード部分を有する。
【００１１】
本発明の利点は、例えばラジオ装置のユーザーがユーザーの好みの選択の所望の及び所定のデータを聞けることである。これは、所望の情報が放送される他の放送チャンネルに手動で調整及び検索することなく、ユーザーに所定のサブカテゴリーの音楽及びデータ、例えば交通情報の連続的受信を経験可能にする。
【００１２】
より詳細には、音楽信号は、例えば第１のカテゴリーのデータを表して良い。第２のカテゴリーは２つのサブカテゴリー有し、２つのサブカテゴリーのうち第１のサブカテゴリーは、交通情報のような所定のサブカテゴリーである。この所定のサブカテゴリーは、車中の聞手により依然として必要とされる有用なデータと関連する。
【００１３】
第２のサブカテゴリーは、音声のみの非交通情報のような、聞手により予め定められていないデータに関連する。第２のサブカテゴリーのデータが検出されると、第２の信号が選択され、当該第２の信号に含まれるデータを再生する。
【００１４】
本発明の利点を説明するため、使用の簡単な例が記載される。聞手が車中に居る場合、聞手は交通情報の音声信号を依然として必要とする。本発明は、聞手が音楽と交通情報との両方を聞くことを可能にする。受信信号が所望の又は所定の信号でないと分かった場合、聞手は別の信号の再生を聞く。
【００１５】
請求項２又は９に定められた手段は、別の放送チャンネルから予め格納された非放送音楽信号、又は外部若しくは別の音源、ＣＤプレーヤー又は別の媒体プレーヤー等からの音楽信号を再生するという利点を提供する。媒体プレーヤーは、ＭＰ３プレーヤー、ＤＶＤプレーヤー又は同様の装置の他のソフトウェアの具現化であって良い。
【００１６】
請求項３又は１０に定められた手段は、２つのチューナーの代わりに単一のチューナーが利用される比較的簡易で経済的な解決法であるという技術的利点を提供する。
【００１７】
請求項４又は１１に定められた手段は、第２の信号が物理的に予め記録されたＣＤのような記憶媒体に制限されないという利点を提供する。
【００１８】
請求項５又は１２に定められた手段は、第２の信号が非放送中信号の品質により制限されないという利点を提供する。
【００１９】
請求項６及び７又は請求項１３及び１４に定められた手段は、それぞれ音声信号処理の分野、及び同様にビデオ処理の分野に有利に適用され得るという利点を提供する。
【００２０】
請求項１５に定められた手段は、第２のカテゴリーの所定のサブカテゴリーが、車内での使用が検出された場合に自動的に交通情報として定められ得るという利点を提供する。
【００２１】
請求項１６に定められた手段は、第２のカテゴリーの所定のサブカテゴリーが、気象条件に依存して自動的に定められ得るという利点を提供する。
【００２２】
請求項１７に定められた手段は、本発明が電話に適用され得るという利点を提供する。
【００２３】
請求項１乃至７と関連して述べられた利点はまた、請求項１８に定められたコンピュータープログラム及び請求項１９に定められた記録担体においても同様である。
【００２４】
本発明の上述の及び他の態様は、本願明細書に記載される実施例を参照する非限定的な例、及びその説明から明らかである。
【発明を実施するための最良の形態】
【００２５】
図１の第１の実施例は、第１のデータ受信機１０を示す。第１のデータ受信機１０は、第１のチューナー１１、チューニング制御ユニット３１、会話認識及びスイッチ制御ユニット１２、タイムアウト制御ユニット１５、スイッチ１３、及び音響増幅器及び拡声器１４を有し、データ源３０と連携する。この例では、データ源３０は、第１のデータ受信機１０と接続されたＣＤプレーヤーにより実現される。メモリーユニット３２は、ＣＤにより実現される。
【００２６】
第１のチューナー１１は、この実施例によると第１のチャンネルに調整され、第１の音響信号１６を、スイッチ１３及び会話認識及びスイッチ制御ユニット１２の両方と接続された第１のチューナー１１の出力において供給する。会話認識及びスイッチ制御ユニット１２は、タイムアウト制御ユニット１５の入力と接続される。タイムアウト制御ユニット１５は２つの出力を有し、第１の出力３３はチューニング制御ユニット３１の入力と接続され、及び第２の出力１９はスイッチ１３と接続される。
【００２７】
第１の音響信号１６は、２つのカテゴリーに分類され得る音響情報を表すデータを有する。第１のカテゴリーは音楽に関連し、及び第２のカテゴリーは音声のみの信号又は会話に関連する。第２のカテゴリーは、所定のサブカテゴリー及び非所定のサブカテゴリーに更に細かく分類され得る。所定のサブカテゴリーは交通情報のような有用な情報に関連し、及び非所定のサブカテゴリーはコマーシャル及び対談のような非有用な情報に関連する。
【００２８】
動作中、会話認識及びスイッチ制御ユニット１２は、現在の局により放送されたデータを有する第１の音響信号１６が、非所定のサブカテゴリー、例えば音声のみの信号である時を検出する。この例では、会話認識及びスイッチ制御ユニット１２は、所定のサブカテゴリーの音楽又はデータが受信されたか否かを表示する表示信号１８を供給する。この表示信号１８は、第１の音響信号１６が所定のサブカテゴリーの音楽又はデータでないと検出されると、タイムアウト制御ユニット１５へ供給される。会話認識及びスイッチ制御ユニット１２は、特許文献１に開示された手段で音楽及び音声のみの信号を認識可能であり、及び放送局からのデータと一緒に送信されるパイロット信号を検出することにより、交通情報のような所定のサブカテゴリーのデータを認識可能である。この点において、留意すべき点は、所定のサブカテゴリーのデータはまた、ビジネス情報又は同様の物を表して良く、またこのようなデータの表示は、当該データと一緒に送信又は格納される表示又はパイロット信号に従って良い。
【００２９】
タイムアウト制御ユニット１５が会話認識及びスイッチ制御ユニット１２から表示信号１８を受信すると、タイムアウト制御ユニット１５は、２つのタイムアウト信号を供給する。第１のタイムアウト信号はチューニング制御信号ＴＣを表し、及び第２のタイムアウト信号はスイッチ制御信号ＳＣを表す。チューニング制御信号ＴＣは、第１の出力３３を介しチューニング制御ユニット３１へ印加される。スイッチ制御信号ＳＣは、第２の出力１９を介しスイッチ１３へ印加される。第１のタイムアウト信号は、第２のタイムアウト信号の第２の所定の時間遅延より短い、第１の所定の遅延時間を有する。より短い第１の所定の時間遅延が経過し、及び第１の音響信号１６が所定のサブカテゴリーのデータを有さない場合、タイムアウト制御ユニット１５の第１のタイムアウト信号は、チューニング制御ユニット３１へ送信され、会話認識及びスイッチ制御ユニット１２により音楽信号が検出されるまで第２のチャンネル又は次のチャンネルを検索する第１のチューナー１１を起動する。所定のサブカテゴリーの音楽又はデータを表す第１の音響信号１６が受信された場合、音響増幅器及び拡声器１４は音楽又は当該データを再生する。
【００３０】
所定のサブカテゴリーの音楽又はデータがより長い第２の所定の時間遅延内で検出されない場合、タイムアウト制御ユニット１５の第２のタイムアウト信号は、スイッチ１３に、予め格納されたデータを有する第１の音響信号１７をＣＤプレーヤーであるメモリーユニット３２から、例えば予め格納された音楽コンテンツを外部又は別個のデータ源から、選択させる。この第２の音響信号１７は、次に音響増幅器及び拡声器１４により再生される。この配置は、聞手が、聞手による介入なしに、所定のサブカテゴリーのデータに基づき、有用な情報と同様にほとんど連続的に再生音楽信号を受信するという利点を有する。
【００３１】
メモリーユニット３２はまた、データ源３０と接続又は連携し得る別のメモリー装置により実現されて良い。
【００３２】
本発明の当該実施例の変形では、タイムアウト制御ユニット１５の出力は入れ替えられる。より短いタイムアウト信号はスイッチ１３に印加され、及びより長いタイムアウト信号はチュ―ニング制御ユニット３１に印加される。この実施例によると、非音楽信号又は非所定のサブカテゴリーのデータを受信すると、装置は、装置がメモリーユニット３２からの音楽再生へ切り替える前に短いタイムアウトを許容する。所定のより長いタイムアウトの後にのみ、チューナーはチャンネルを通じチューニングを開始する。その間、会話認識及びスイッチ制御ユニット１２は、受信データが所定のサブカテゴリーの音楽又はデータを表すかどうかを検査及び検出する。
【００３３】
ラジオ放送における所定のサブカテゴリーの音楽又はデータを有する音響信号の代わりに、等価なテレビジョン放送もまた適用可能である。この例では、音楽は所望のＴＶ番組と等価である。一方所定のサブカテゴリーのデータは、コマーシャルの時間中の次の番組のアナウンスのような有用なデータと等価である。また非所定のサブカテゴリーの不要な音声のみの信号又はデータは、広告クリップのような不要なコマーシャルの時間であって良い。
【００３４】
図２に示された第２の実施例では、第１の音響信号１６を出力で供給する第１のチューナー１１を有する第１のデータ受信機１０、及び第２のデータ受信機２０を有する２チューナーシステムが用いられる。図１に示された第１の実施例と対照的に、第２のデータ受信機２０は、第２の音響信号１７を供給する第２のチューナー２１を有する。図２では、図１の構成要素と同じ全ての構成要素は、同じ参照番号により示され、更に詳細に記載されない。
【００３５】
動作中、第１のチューナー１１は、第１の音響信号１６を会話認識及びスイッチ制御ユニット１２及びスイッチ１３へ印加する。第２のチューナー２１は、音楽信号を同時に検索する。また第２のチューナー２１の出力は会話認識ユニット２２の入力と接続される。第２のチューナー２１からの音楽信号が会話認識ユニット２２により検出されると、音楽信号は、予め格納されたデータとしてメモリー／バッファリングユニット２３に格納される。
【００３６】
第２のチューナー２１による所定のデータの検索は、所定数の楽曲に到達した後に停止して良く、またチューニング及び第２の音声信号１７として音響増幅器及び拡声器１４により利用される予め格納されたデータのリフレッシュを再開する。所定数は、固定数、例えば５又は１０曲であって良く、又は聞手により予め設定される如何なる数であっても良い。
【００３７】
第２の実施例の変形では、留意すべき点は、予め格納されたデータが第２の音響信号１７として利用される場合、スイッチ１３は、第１の制御信号を第２のチューナー２１へ送信し、チャンネルチューニングを開始し、及び第２の制御信号を会話認識ユニット２２へ送信し、予め格納された音楽としてメモリー／バッファリングユニット２３に格納されるべき音楽信号の検出を開始する。これは図２に示されない。
【００３８】
上述の第２の実施例の変形と対照的に、図２に示された第２のチューナー２１は、所定のサブカテゴリーの新たなデータを異なるチャンネルから連続的に検索し、及びそれらをメモリー／バッファリングユニット２３に格納する。メモリー／バッファリングユニット２３が満たされると、最も早く予め格納されていた音楽が、先入れ先出し法でメモリーから落とされて良い。この点において、留意すべき点は、第２の音響信号１７はまた、例えばＣＤプレーヤーから又は固体メモリーから供給される予め格納されたデータの支援で再生され得ることである。
【００３９】
この第２の実施例は、第１の音響信号１６が所定のサブカテゴリーのデータを有さない場合に第１のチューナー１１が次のチャンネルを検索するのを待たずに、聞手が非放送又は直接接続されたデータ源からの所定のサブカテゴリーの音楽及びデータの再生を連続的に受信するという利点を有する。チューナー２１の所定のサブカテゴリーの音楽及びデータは、メモリー／バッファリングユニット２３に同様に格納されるので、切り替えによる短い時間シフトがあるが、放送された音楽が常に聞手に利用可能であるか、又はユーザーにより予め定められることが保証される。タイムシフトがゼロの場合、所望の信号を有する異なるチャンネルへの瞬間的切り替えが実現され得る。
【００４０】
図３に示される第３の実施例では、図２に示された第２の実施例の第２のチューナー２１は、省略される。この実施例では、第１のデータ受信機１０は、図２に示された第２の実施例の構成要素と同様の構成要素を有するが、第１のチューナー１１の出力が第３のデータ受信機４０の会話認識ユニット２２と接続される点が異なる。第３のデータ受信機４０はまた、メモリー／バッファリングユニット２３を有する。会話認識ユニット２２の出力は、メモリー／バッファリングユニット２３と接続される。
【００４１】
図３では、図１又は図２の構成要素と同じ全ての構成要素は、同じ参照番号により示され、更に詳細に記載されない。
【００４２】
スイッチ１３は、２つの出力を有する。第１の出力は、音響増幅器及び拡声器１４と接続される。また第２の出力は第１のチューナー１１から受信した音楽信号の検出を制御する会話認識ユニット２２と接続される。検出された音楽信号は、予め格納されたデータが音響増幅器及び拡声器１４による再生のために第２の音響信号１７として利用される場合にはいつでも、メモリー／バッファリングユニット２３に予め格納されたデータをリフレッシュするために用いられる。所定のサブカテゴリーの如何なる音楽又はデータも第１のチューナー１１により受信されない限り、予め格納されたデータは、メモリー／バッファリングユニット２３から再生される。スイッチ１３及び増幅器及び拡声器１４を通じてメモリー／バッファリングユニット２３から再生される全ての音楽／データは、所望の新たなデータ／音楽により置き換えられ得る。これは、第１のチューナー１１が所望のデータ／音楽を受信した場合、達成される。結果として、第１のチューナー１１により先に受信された同一の曲は、それらをメモリー／バッファリングユニット２３から再生することにより後に繰り返される。従って、ユーザーは、要求に応じてユーザーが先に聞いた所定のサブカテゴリーのデータを聞くことができる。メモリー／バッファリングユニット２３の十分大きな容量を選択することにより、この繰り返しは聞手にとって煩わしくない。
【００４３】
データがメモリー／バッファリングユニット２３から再生される間、第１のチューナー１１は、所定のサブカテゴリーの音楽又はデータを有するチャンネルを見付けるため、調整し続ける。このようなチャンネルが見付かると、タイムアウト制御ユニット１５は、再びリセットされるが、今度は異なるタイムアウト値、つまりメモリー／バッファリングユニット２３又はデータ受信機４０から再生される所定のサブカテゴリーの音楽又はデータが継続する最小時間にリセットされる。このタイムアウト値はまた、ユーザーにより決定され得る。この時間が経過し、依然として第１のチューナー１１から受信した所定のサブカテゴリーの音楽又はデータが依然として存在する場合、スイッチ１３は、第１のチューナー１１の出力を、つまり第１の音響信号１６を、メモリー／バッファリングユニット２３の出力からの第２の音響信号１７の代わりに、再び選択する。この機構は、上述の及び図１に示された、単一チューナーの例と同様である。
【００４４】
図３に示された実施例の変形では、第１のチューナー１１から受信した第１の音響信号１６が、会話認識ユニット２２により連続的に検出されることが可能である。また所定のサブカテゴリーの音楽又はデータのような所望の新たな音響信号は、メモリー／バッファリングユニット２３に連続的に予め格納される。
【００４５】
第３の実施例は、単一チューナー１１だけが必要とされ、及び聞手は所望の音楽／データの再生を連続的に受信するという利点を有する。
【００４６】
本発明の別の態様によると、上述の全ての実施例は、自動車に取り付けられた装置の使用を検出する検出器（本願明細書には示されない）を有して良い。このような検出器は、交通情報のような特別な所定のサブカテゴリーのデータに優先度を設定し、従って所望の情報は、第１のチューナー１１により受信された場合、如何なるユーザーの介入もなしに音響増幅器及び拡声器１４により再生される。
【００４７】
本発明の別の態様によると、気象条件を検出する検出器が設けられて良い。このような実施例では、特に有利なことに、情報再生の優先度を、交通情報のような所定のサブカテゴリーのデータに自動的に設定する。上述の実施例と組み合わせ、この実施例は、自動車内で用いられる場合、ユーザーが常に適切に交通状況を知らされるので、気象条件が比較的粗悪である場合に一般に非常に重要であるという更なる利点を有する。これはまた、本発明の手段を、ラジオ受信機を備えた移動電話に組み込むことにより達成され得る。
【００４８】
システムは、本発明の更なる実施例として説明され得る。システムは、例えばサービスプロバイダーにより動作されるプログラム可能な装置を有する。また当該装置は、第１の信号又は第２の信号の何れかに含まれるデータを表す電気信号を生成する。このデータは、ネットワークを介しシステムの別の装置へ送信される。当該装置では、当該データをユーザーからアクセス可能にし、例えば視覚化又は聴覚的認識のために加工される。従って、データは、サービスプロバイダーにより動作される装置からユーザー装置へデータを送信することにより再生され、データをユーザーからアクセス可能にする。
【００４９】
第１の音響信号１６及び第２の音響信号１７は、アナログ又はデジタルの種類の何れでも良い。第１の音響信号１６及び第２の音響信号１７は、異なるチャンネルで時間的に並列に、又はタイムスロットで時間的に連続して受信されて良い。
【００５０】
データ源３０、第２のデータ受信機２０、及び第２のデータ受信機４０は、上述の実施例では別個のユニットとして図示されたが、それらは第１のデータ受信機１０に統合されて良い。
【００５１】
種々の実施例の構成要素は、本発明の範囲から逸脱することなく結合され得る。
【００５２】
更に、本発明は、前述の実施例より少数の構成要素を備え実施され、１つの構成要素が複数の機能を実行して良い。本発明はまた、前述の構成要素より多くの構成要素を備えて実施され、実施例の１つの構成要素により実行される機能は、複数の構成要素の間で分配されて良い。
【００５３】
留意すべき点は、本発明の保護されるべき範囲は、記載された実施例に限定されないことである。括弧内の如何なる参照符号も、請求項を制限すると見なされるべきではない。「有する」の語及びその活用の使用は、請求項に記載された以外の構成要素又は段階の存在を排除するものではない。要素又は段階に付される単数表記の語の使用は、当該要素又は段階の複数の存在を排除するものではない。
【図面の簡単な説明】
【００５４】
【図１】本発明による第１の実施例のブロック図である。
【図２】本発明による第２の実施例のブロック図である。
【図３】本発明による第３の実施例のブロック図である。
【図１】
2008519526.tif 000003
【図２】
2008519526.tif 000004
【図３】
2008519526.tif 000005
【国際調査報告】
2008519526.tif 000006
2008519526.tif 000007
2008519526.tif 000008